(57)【要約】【課題】内側テープの寄りテープについて密着性の高い貼り付けを行い、かつ真直性、間隔精度を確保して所定位置に貼り付けし得る寄りガイド貼付け装置を提供する。【解決手段】円筒ベルトの蛇行防止として内筒面の円周上両端部に寄りガイドを貼着させるとき、円筒ベルトに張力を与えながら一定速度で回転させる寄りガイド貼付け装置において、円筒ベルトの内面円周上に寄りガイドを任意の位置に貼り付ける寄りガイド位置決めと、円筒ベルトの直線部で寄りガイドを貼り付けるために中間ローラを設けて押圧ローラにより押圧する押圧ローラ装置と、円筒ベルトが中間ローラに密着しながら搬送する弾性体ローラとを備える。【選択図】　　　　図１
2004083190.tif 000002
【特許請求の範囲】
【請求項１】
円筒ベルトの蛇行防止として内筒面の円周上両端部に寄りガイドを貼着させるとき、円筒ベルトに張力を与えながら一定速度で回転させる寄りガイド貼付け装置において、円筒ベルトの内面円周上に寄りガイドを任意の位置に貼り付ける寄りガイド位置決めと、円筒ベルトの直線部で寄りガイドを貼り付けるために中間ローラを設けて押圧ローラにより押圧する押圧ローラ装置と、円筒ベルトが中間ローラに密着しながら搬送する弾性体ローラとを備えることを特徴とする寄りガイド貼付け装置。
【請求項２】
寄りガイドが円筒ベルトの所定の位置に貼付けられるように寄りガイド位置決めの下部ガイドを外側に角度を設けて位置決めの先端に接触しながら供給することを特徴とする請求項１記載の寄りガイド貼付け装置。
【請求項３】
駆動ローラと従動ローラ間に中間ローラを設け、円筒ベルトの直線部に角度をもって中間ローラに接しながら押圧ローラにより押圧し貼付けることを特徴とする請求項１又は２記載の寄りガイド貼付け装置。
【請求項４】
円筒ベルトが搬送時に中間ローラに密着するように押し付けることで回転する弾性体ローラを設けることを特徴とする請求項１、２又は３記載の寄りガイド貼付け装置。
【発明の詳細な説明】
【０００１】
【発明の属する技術分野】
本発明は、円筒ベルト等の円筒体に回転運動させた場合に蛇行防止として内筒面の円周上両端部に寄りガイドを貼着させる寄りガイド貼付け装置に関するものである。
【０００２】
【従来の技術】
本発明の従来技術として特開平６−１４４６２７号公報があり、該公報にはシームレスベルトの端面処理装置として、シームベルトの真円度を高めて蛇行を防止するよう、ローラテンションを備えた駆動ローラ部により、シームレスベルトに補強テープを貼り付けることが記載されている。
【０００３】
【発明が解決しようとする課題】
しかしながら、上記従来技術には、補強テープを貼付する位置が駆動ローラ部で内側テープ部と離れているため、内側テープの真直精度を確保することが難しいという問題がある。また、従来技術は駆動ローラ部で貼り付けされるため、ローラテンションにより寄りガイドの伸縮を生じるという問題がある。
【０００４】
そこで、本発明は、上記の問題を解決するためになされたもので、内側テープの寄りテープについて密着性の高い貼り付けを行い、かつ真直性、間隔精度を確保して所定位置に貼り付けし得る寄りガイド貼付け装置を提供することを目的とするものである。
【０００５】
【課題を解決するための手段】
前記の課題を解決するために、請求項１記載の発明では、円筒ベルトの蛇行防止として内筒面の円周上両端部に寄りガイドを貼着させるとき、円筒ベルトに張力を与えながら一定速度で回転させる寄りガイド貼付け装置において、円筒ベルトの内面円周上に寄りガイドを任意の位置に貼り付ける寄りガイド位置決めと、円筒ベルトの直線部で寄りガイドを貼り付けるために中間ローラを設けて押圧ローラにより押圧する押圧ローラ装置と、円筒ベルトが中間ローラに密着しながら搬送する弾性体ローラとを備える寄りガイド貼付け装置を最も主要な特徴とする。
【０００６】
請求項２記載の発明では、寄りガイドが円筒ベルトの所定の位置に貼付けられるように寄りガイド位置決めの下部ガイドを外側に角度を設けて位置決めの先端に接触しながら供給する請求項１記載の寄りガイド貼付け装置を主要な特徴とする。
【０００７】
請求項３記載の発明では、駆動ローラと従動ローラ間に中間ローラを設け、円筒ベルトの直線部に角度をもって中間ローラに接しながら押圧ローラにより押圧し貼付ける請求項１又は２記載の寄りガイド貼付け装置を主要な特徴とする。
【０００８】
請求項４記載の発明では、円筒ベルトが搬送時に中間ローラに密着するように押し付けることで回転する弾性体ローラを設ける請求項１、２又は３記載の寄りガイド貼付け装置を主要な特徴とする。
【０００９】
【発明の実施の形態】
以下、図面により本発明の実施の形態を詳細に説明する。図１は、寄りガイド貼付け装置を実施する形態を示す全体概要構造図であり、図２は、円筒ベルトに寄りガイドを貼り付けた状態を示す概略図であり、図３は、寄りガイドの形状を示す概略図である。
【００１０】
図１〜図３において、寄りガイド貼付け装置は、寄りガイド２の粘着面を上面にセットする寄りガイド位置決め１０，１７と、円筒ベルト１を位置決めする駆動ローラ１１と従動ローラ１２とを備え、円筒ベルト１が回転した時、蛇行しないように両端にフランジ１４、１５，２５，２６を設けている。また、寄りガイド位置決め１０、１７の内面には、図４に示すごとく、寄りガイド２が接しながら供給されるよう下部ガイドには外側への角度を設けている。更に、図５、図６に示すように寄りガイド貼付け装置は、押圧ローラ１３が一定押圧で円筒ベルト１を押すよう圧縮バネ２９を備えると共に、寄りガイド２に接線で押圧されるようにした押圧ローラ装置と、円筒ベルト１とが回転時に中間ローラに密着しながら回転するよう弾性体ローラ２４を設けている。ここで、駆動ローラと従動ローラ間に中間ローラを設けている寄りガイド貼付け装置は、寄せガイド２が、円筒ベルト１の直線部に角度をもって中間ローラに接しながら押圧ローラ１３により押圧されて貼り付けられるよう構成されている。なお、図５は寄りガイドが押圧ローラにより円筒ベルトに貼り付けられる状態を示す概略図であり、図７は寄りガイドを貼付する際の貼着方法のフローチャートを示し、図８は部品構成番号と名称である。
【００１１】
円筒ベルト１に寄りガイド２を貼り付ける際には、円筒ベルト１が２本のローラのフランジ１４，１５に突き当てて位置決めされると共に、寄りガイド２が寄りガイド位置決め１０，１７にセットされるよう、円筒ベルト１を駆動ローラ１１にセットし、圧縮バネ２９を介し押圧ローラ１３により一定押圧で円筒ベルト１を押し、押圧ローラ装置と円筒ベルト１とが回転時に中間ローラに密着しながら回転し、円筒ベルト１を寄りガイド２に接線で押圧する。ここで、寄りガイド２が円筒ベルト１の所定の位置に貼付けられると、寄りガイド位置決め１０，１７の下部ガイドは外側に角度を設けて位置決めの先端に接触しながら供給する。
【００１２】
このように、円筒ベルト１に対しローラによりテンションがかけられると、寄りガイド２はローラ間の直線部で押圧ローラ１３により押圧されて、円筒ベルト１が回転すると同時に寄りガイド２が追従して円筒ベルト１の内筒面に自動に貼着される。
【００１３】
従って、円筒ベルト１は２本のローラのフランジ１４，１５に突き当てて位置決めされると共に、寄りガイド２は寄りガイド位置決め１０，１７にセットされるので、寄りガイド２について密着性の高い貼り付けを行い、かつ真直性、間隔精度を確保し、円筒ベルト１内筒面の円周上の所定位置に寄りガイド２を貼り付けができる。
【００１４】
【発明の効果】
以上説明したように、請求項１によれば、寄りガイド位置決めにおいて寄りガイドを外側に角度を保つので、貼り付けられる位置は、寄りガイド位置決めの先端部の内側に沿って供給され、真直度と寄りガイドとの間隔精度を確保することができる。また、円筒ベルトの直線部に角度をもって中間ローラに接し、押圧ローラにより押圧されて貼り付けられるため、寄りガイドと円筒ベルトの接着性との真直精度が高く、寄りガイドに伸縮を与えず貼付けができる。更に弾性体ローラを設置するので、円筒ベルトの回転時に中央部の膨らみを防止する共に、ローラテンションに影響されずに押圧ローラ圧を調整することができる。
【００１５】
請求項２によれば、寄りガイド位置決めの下部ガイドに対して外側に角度を設けるので、寄りガイド位置決めは、真直性と寄りガイドの間隔精度を確保することができると共に、寄りガイドが溝幅内で蛇行しないように寄りガイド位置決めの内面に接しながら伸縮なく追従して貼着することができる。
【００１６】
請求項３によれば、押圧ローラの圧縮バネによって、一定押圧が円筒ベルトと、寄りガイドとに接線で押圧されるので、未接着部の発生しない貼着を行うことができ、かつ寄りベルト材質硬度に対応した押圧力を調整して伸縮の影響を受けずに貼着することができる。
【００１７】
請求項４によれば、円筒ベルトは回転時に両側の押圧ローラによって押圧がかけられた場合、円筒ベルトの中央への膨らみの発生により、寄りガイドの真直性と間隔精度に影響することに対応して、中間ローラに密着しながら駆動するよう弾性体ローラで押圧されるので、円筒ベルトの表面に傷を付けずに密着させることができる。
【図面の簡単な説明】
【図１】本発明の寄りガイド貼付け装置を実施する形態を示す全体概要構造図である。
【図２】円筒ベルトに寄りガイドを貼り付けた状態を示す概略図である。
【図３】寄りガイドの形状を示す概略図である。
【図４】下部ガイドに外側への角度を設けた状態を示す概略図である。
【図５】寄りガイドが押圧ローラにより円筒ベルトに貼り付けられる状態を示す概略図である。
【図６】寄りガイド貼付け装置の一部を示す概略図である。
【図７】寄りガイドを貼付する際の貼着方法のフローチャートである。
【図８】部品構成番号と名称を示す対照表である。
【符号の説明】
１　円筒ベルト
２　寄りガイド
１０　ガイド位置決め
１７　ガイド位置決め
１１　駆動ローラ
１２　従動ローラ
１３　押圧ローラ
２４　弾性体ローラ
２９　圧縮バネ
【図１】
2004083190.tif 000003
【図２】
2004083190.tif 000004
【図３】
2004083190.tif 000005
【図４】
2004083190.tif 000006
【図５】
2004083190.tif 000007
【図６】
2004083190.tif 000008
【図７】
2004083190.tif 000009
【図８】
2004083190.tif 000010